(57)【要約】  【課題】  従来のＰＯＳ端末装置と比較して、小型かつ軽量である上に、保守の手間を軽減することができるＰＯＳ端末装置を提供する。  【解決手段】  パーソナルコンピュータの構成を基に構成されたＰＯＳ端末装置１において、プログラムを実行するプロセッサ２と、プログラムを実行するプロセッサ２によって使用されるメモリ領域の一部が割り当てられるＤＲＡＭ３と、メモリ領域の他の一部が割り当てられるＳＲＡＭ４と、電力供給部６から電力が供給されなくなったときにＳＲＡＭ４に電力を供給する内部電源８とを備える。【選択図】  図１
2006343931.tif 000002
【特許請求の範囲】
【請求項１】
パーソナルコンピュータの構成を基に構成された販売時点情報管理端末装置において、
前記販売時点情報管理端末装置を駆動するための電力が供給されなくなった場合であっても記憶した情報を保持するバッテリーバックアップ記憶手段を備えたことを特徴とする販売時点情報管理端末装置。
【請求項２】
プログラムを実行するプロセッサと、
前記プログラムを実行するプロセッサによって使用されるメモリ領域の一部が割り当てられるＤＲＡＭとを備え、
前記バッテリーバックアップ記憶手段は、前記メモリ領域の他の一部が割り当てられるＳＲＡＭと、前記ＳＲＡＭに電力を供給する内部電源とによって構成されたことを特徴とする請求項１に記載の販売時点情報管理端末装置。
【請求項３】
前記プロセッサが前記メモリ領域内にデータを書き込む場合に、前記データの書き込み先が前記ＤＲＡＭであるか前記ＳＲＡＭであるかに応じて前記データの書き込みタイミングを制御する同期部を備えたことを特徴とする請求項２に記載の販売時点情報管理端末装置。
【請求項４】
電力が供給されなくなった場合に記憶した情報が消失される第１の記憶部と、前記電力が供給されなくなった場合であっても記憶した情報を保持する第２の記憶部とを備えた販売時点情報管理端末装置のプロセッサに、
データを読み書きするメモリ領域の一部を前記第１の記憶部に割り当てるステップと、
前記メモリ領域の他の一部を前記第２の記憶部に割り当てるステップと、
入力されたデータが販売時点情報管理データであるか否かを判断するステップと、
前記データが販売時点情報管理データであると判断された場合に、前記第２の記憶部に割り当てられたメモリ領域内に前記データを記憶するステップと、
前記データが販売時点情報管理データでないと判断された場合に、前記第１の記憶部に割り当てられたメモリ領域内に前記データを記憶するステップとを実行させることを特徴とする販売時点情報管理端末装置用プログラム。
【発明の詳細な説明】
【技術分野】
【０００１】
本発明は、パーソナルコンピュータの構成を基に構成された販売時点情報管理端末装置（以下単に「ＰＯＳ端末装置」という。）に関し、例えば、電力が供給されなくなった場合であっても記憶した情報を保持するＰＯＳ端末装置に関するものである。
【背景技術】
【０００２】
従来、電力が供給されなくなった場合であっても記憶した情報を保持するＰＯＳ端末装置としては、図４に示すように、電源を供給する電源部４１と、電源の状態を監視する電源異常検出部４２と、ＰＯＳ端末装置の機能を制御する制御部４３と、入力されたデータを処理するデータ入力部４４と、制御部４３によって実行されているＰＯＳ端末装置用プログラムやデータを保持する記憶部４５と、電源部４１からの電源供給が異常状態となった場合にＰＯＳ端末装置に電源を供給するバックアップ電池部４６とを備え、停電時のように電力が供給されなくなったときに、記憶部４５に書き込まれているデータが消失してしまうことを防ぐものがある（例えば、特許文献１参照）。
【特許文献１】特開２００１−１４２５８４号公報
【発明の開示】
【発明が解決しようとする課題】
【０００３】
しかしながら、従来のＰＯＳ端末装置は、バックアップ電池部４６がＰＯＳ端末装置全体を作動させるものであるため、バックアップ電池部４６として容量の大きい電池が必要となる。この容量の大きい電池は、大きくて重いため、従来のＰＯＳ端末装置は、大きくて重いといった問題があった。
【０００４】
また、この容量の大きい電池は、寿命が短いため、従来のＰＯＳ端末装置は、頻繁に電池交換を行わなければならず、保守の手間がかかるといった問題があった。
【０００５】
本発明は、従来の問題を解決するためになされたもので、従来のＰＯＳ端末装置と比較して、小型かつ軽量である上に、保守の手間を軽減することができるＰＯＳ端末装置を提供することを目的とする。
【課題を解決するための手段】
【０００６】
本発明のＰＯＳ端末装置は、パーソナルコンピュータの構成を基に構成されたＰＯＳ端末装置において、前記ＰＯＳ端末装置を駆動するための電力が供給されなくなった場合であっても記憶した情報を保持するバッテリーバックアップ記憶手段を備えた構成を有している。
【０００７】
この構成により、本発明のＰＯＳ端末装置は、装置全体を作動させる内部電源を要さないため、従来のＰＯＳ端末装置と比較して、小型かつ軽量である上に、保守の手間を軽減することができる。
【０００８】
なお、本発明のＰＯＳ端末装置は、プログラムを実行するプロセッサと、前記プログラムを実行するプロセッサによって使用されるメモリ領域の一部が割り当てられるＤＲＡＭとを備え、前記バッテリーバックアップ記憶手段は、前記メモリ領域の他の一部が割り当てられるＳＲＡＭと、前記ＳＲＡＭに電力を供給する内部電源とによって構成してもよい。
【０００９】
この構成により、本発明のＰＯＳ端末装置は、プロセッサによって実行されるプログラムを用いてメモリ領域内のアドレスを指定することによって、データを読み書きする対象としてＤＲＡＭおよびＳＲＡＭの何れかを選択することができる。
【００１０】
また、本発明のＰＯＳ端末装置は、前記プロセッサが前記メモリ領域内にデータを書き込む場合に、前記データの書き込み先が前記ＤＲＡＭであるか前記ＳＲＡＭであるかに応じて前記データの書き込みタイミングを制御する同期部を備えるようにしてもよい。
【００１１】
この構成により、本発明のＰＯＳ端末装置は、データの書き込み先がＤＲＡＭであるかＳＲＡＭであるかに応じて同期部がデータの書き込みタイミングを制御するため、プロセッサ側でデータの書き込みタイミングを切り替えることを要さずに、使用するメモリ領域にデータを書き込むことができる。
【００１２】
本発明のＰＯＳ端末装置用プログラムは、電力が供給されなくなった場合に記憶した情報が消失される第１の記憶部と、前記電力が供給されなくなった場合であっても記憶した情報を保持する第２の記憶部とを備えたＰＯＳ端末装置のプロセッサに、データを読み書きするメモリ領域の一部を前記第１の記憶部に割り当てるステップと、前記メモリ領域の他の一部を前記第２の記憶部に割り当てるステップと、入力されたデータが販売時点情報管理データ（以下単に「ＰＯＳデータ」という。）であるか否かを判断するステップと、前記データがＰＯＳデータであると判断された場合に、前記第２の記憶部に割り当てられたメモリ領域内に前記データを記憶するステップと、前記データがＰＯＳデータでないと判断された場合に、前記第１の記憶部に割り当てられたメモリ領域内に前記データを記憶するステップとを実行させる。
【００１３】
このプログラムにより、メモリ領域内のアドレスを指定することによって、データを読み書きする対象として第１の記憶部および第２の記憶部の何れかを選択することができる。
【発明の効果】
【００１４】
本発明は、従来のＰＯＳ端末装置と比較して、小型かつ軽量である上に、保守の手間を軽減することができるといった効果を有するＰＯＳ端末装置を提供することができる。
【発明を実施するための最良の形態】
【００１５】
以下、本発明の実施の形態について、図面を参照して説明する。
【００１６】
本発明の一実施の形態のＰＯＳ端末装置を図１に示す。
【００１７】
ＰＯＳ端末装置１は、パーソナルコンピュータの構成を基に構成されており、ＣＰＵ（Central Processing Unit）等のプロセッサ２と、ＤＲＡＭ（Dynamic Random Access Memory）３と、ＳＲＡＭ（Static Random Access Memory）４と、プロセッサ２がＤＲＡＭ３およびＳＲＡＭ４に対してデータを読み書きするタイミングを制御する同期部５と、外部からＰＯＳ端末装置１に電源を供給するための電力供給部６と、電力供給部６から供給される電力の電圧値が予め定められた閾値未満となったときにＰＯＳ端末装置１をリセット状態にするハードリセット部７と、ＰＯＳ端末装置１がリセット状態になったときにＳＲＡＭ４に電力を供給する内部電源８と、データが入力されるデータ入力部９とを備えている。
【００１８】
プロセッサ２は、図示しないハードディスクやＲＯＭ（Read Only Memory）等の記憶媒体に記憶されたプログラムをＤＲＡＭ３に読み込んで実行するようになっている。このプログラムには、後述するＰＯＳ端末装置１の動作を実行するためのＰＯＳ端末装置用プログラムが含まれている。
【００１９】
ＳＲＡＭ４および内部電源８は、本実施形態において本発明におけるバッテリーバックアップ記憶手段を構成する。
【００２０】
データ入力部９には、キーボードやタッチ入力パネル等によって構成されるキー入力部１０および図示しないＬＡＮ（Local Area Network）等のネットワークが接続され、ＰＯＳデータおよび非ＰＯＳデータが入力されるようになっている。
【００２１】
ここで、ＰＯＳデータとは、販売した商品名、販売した員数、売上金および販売した時刻といった販売に関連したデータであり、消失してしまうと復旧が困難なデータのことをいう。
【００２２】
一方、非ＰＯＳデータとは、商品メニュー、商品単価等であり、消失してしまっても復旧が容易なデータのことをいう。
【００２３】
例えば、ＰＯＳデータは、図２に示すように、データ種別コード２１と、データ本体２２よりなり、データ入力部９に入力されたデータがＰＯＳデータであるか否かをデータ種別コード２１に基づいて判断することができる。
【００２４】
なお、プロセッサ２は、キー入力部１０の「小計」キー等の特定のキーが押下されることによって入力が確定されたデータにＰＯＳデータを表すデータ種別コード２１を付与するようにしてもよい。
【００２５】
また、後述する販売情報管理機器１２がＬＡＮを介してＰＯＳ端末装置１にデータを送信するのに先立って、販売情報管理機器１２は、例えば、「売り上げ」を表すデータにはＰＯＳデータを表すデータ種別コード２１を付与し、「商品メニュー」を表すデータには非ＰＯＳデータを表すデータ種別コード２１を付与するようにしてもよい。
【００２６】
ハードリセット部７は、例えば、電力供給部６から供給される電力の電圧値が閾値以上のときには、「１」を表すレベル信号を出力し、電力供給部６から供給される電力の電圧値が閾値未満のときには、「０」を表すレベル信号を出力するようになっている。
【００２７】
ハードリセット部７から「０」を表すレベル信号が出力されると、ＰＯＳ端末装置１がリセット状態になり、プロセッサ２がリセットされ、ＤＲＡＭ３に記憶された情報が消滅する。
【００２８】
また、ハードリセット部７から「０」を表すレベル信号が出力されたときには、ＳＲＡＭ４の電力供給元が電力供給部６から内部電源８に切り替わるようになっている。このため、ＰＯＳ端末装置１がリセット状態になったとしても、ＳＲＡＭ４に記憶された情報は、保持される。
【００２９】
ＰＯＳ端末装置１には、注文された商品や料金が表示される表示部１１と、販売情報を集計・管理する販売情報管理機器１２に接続するためのインライン制御部１３と、売上金を保管するキャッシュドロア部１４とが接続される。
【００３０】
以上のように構成されたＰＯＳ端末装置１について、図３を用いてその動作を説明する。
【００３１】
プロセッサ２によってＰＯＳ端末装置用プログラムの実行が開始されると、プロセッサ２は、データを読み書きするメモリ領域の一部を第１の記憶部としてＤＲＡＭ３に割り当て（Ｓ１）、メモリ領域の他の一部を第２の記憶部としてＳＲＡＭ４に割り当てる（Ｓ２）。
【００３２】
ここで、データ入力部９にデータが入力されると（Ｓ３）、プロセッサ２は、データ入力部９に入力されたデータがＰＯＳデータであるか否かを判断する（Ｓ４）。
【００３３】
データ入力部９に入力されたデータがＰＯＳデータでないと判断した場合には、プロセッサ２は、ＤＲＡＭ３に割り当てたメモリ領域内のアドレスを指定して、同期部５にデータの書き込みを要求する（Ｓ５）。
【００３４】
一方、データ入力部９に入力されたデータがＰＯＳデータであると判断した場合には、プロセッサ２は、ＳＲＡＭ３に割り当てたメモリ領域内のアドレスを指定して、同期部５にデータの書き込みを要求する（Ｓ６）。
【００３５】
データの書き込みを要求された同期部５は、指定されたアドレスに基づいてデータの書き込み先がＤＲＡＭ３であるかＳＲＡＭ４であるかを判断する（Ｓ７）。
【００３６】
データの書き込み先がＤＲＡＭ３であると判断した場合には、同期部５は、ＤＲＡＭ３に適した書き込みタイミングでデータをＤＲＡＭ３に書き込む（Ｓ８）。一方、データの書き込み先がＳＲＡＭ４であると判断した場合には、同期部５は、ＳＲＡＭ４に適した書き込みタイミングでデータをＳＲＡＭ４に書き込む（Ｓ９）。
【００３７】
このように入力されたＰＯＳデータとして、例えば、注文された商品を表す情報が、キー入力部１０を介してＰＯＳデータとして入力されると、商品の情報や料金が表示部１１に表示されると共にインライン制御部１３を介して販売情報管理機器１２に送信される。
【００３８】
また、ＰＯＳデータとして、例えば、商品の料金として受け取った金額を表す情報がキー入力部１０を介してＰＯＳデータとして入力されると、その金額が表示部５１に表示されると共にインライン制御部１３を介して販売情報管理機器１２に送信される。
【００３９】
このような本発明の一実施の形態のＰＯＳ端末装置１は、ＳＲＡＭ４とＳＲＡＭ４に電力を供給する内部電源８とを設けることにより装置全体を作動させる内部電源を要さないため、従来のＰＯＳ端末装置と比較して、小型かつ軽量である上に、保守の手間を軽減することができる。
【産業上の利用可能性】
【００４０】
以上のように、本発明にかかるＰＯＳ端末装置は、従来のＰＯＳ端末装置と比較して、小型かつ軽量である上に、保守の手間を軽減することができるという効果を有し、例えば、電力が供給されなくなった場合であっても記憶した情報を保持するＰＯＳ端末装置等として有用である。
【図面の簡単な説明】
【００４１】
【図１】本発明の一実施の形態におけるＰＯＳ端末装置のブロック図
【図２】本発明の一実施の形態におけるＰＯＳデータの例を示すデータ構成図
【図３】本発明の一実施の形態におけるＰＯＳ端末装置の動作を説明するためのフロー図
【図４】従来のＰＯＳ端末装置のブロック図
【符号の説明】
【００４２】
１  ＰＯＳ端末装置
２  プロセッサ
３  ＤＲＡＭ
４  ＳＲＡＭ
５  同期部
６  電力供給部
７  ハードリセット部
８  内部電源
９、４４  データ入力部
１０  キー入力部
１１、５１  表示部
１２  販売情報管理機器
１３  インライン制御部
１４  キャッシュドロア部
４１  電源部
４２  電源異常検出部
４３  制御部
４５  記憶部
４６  バックアップ電池部
【図１】
2006343931.tif 000003
【図２】
2006343931.tif 000004
【図３】
2006343931.tif 000005
【図４】
2006343931.tif 000006